(57)【要約】【課題】  会員カード等の第１の記憶媒体の同等品を店内用カード等の第２の記録媒体として運用する場合、第２の記録媒体を効率良く機内に回収できるようにし、かつ第２の記録媒体の運用設定を容易に行い得るようにする。【解決手段】  カード精算機５０では、会員カード４３の同等品を店内用カード４５として運用する場合、当該運用を行う旨、及び店内用カード４５として運用する会員コード番号の範囲を店内用カード運用設定テーブル５１８３に記憶しておく。カードが挿入された場合、挿入カードから読取ったカードＩＤが店内用カード運用設定テーブル５１８３に設定された会員コード番号の範囲内にあれば、該挿入カードを店内用カードと判定し、精算後、精算残額が無い場合に当該店内用カードをカード精算機５０の機内に回収する。【選択図】  図１
2005237482.tif 000002
【特許請求の範囲】
【請求項１】
所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置において、
前記第２の記録媒体の運用条件を設定する設定手段と、
前記第１または第２の記録媒体のいずれかを受け入れ、該受け入れた記録媒体に記録された情報を読取る記録媒体読取手段と、
前記記録媒体読取手段により読み取られた識別情報と、前記設定手段により設定された運用条件に基づき、前記記録媒体読取手段に受け入れた記録媒体が前記第２の記録媒体であるか否かを判定する判定手段と、
前記判定手段により、前記記録媒体読取手段に受け入れた記録媒体が前記第２の記録媒体であると判定された場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段と
を具備することを特徴とする記録媒体精算装置。
【請求項２】
前記設定手段は、
前記第２の記録媒体として運用される記録媒体の識別情報を個々に設定する手段であり、
前記判定手段は、
前記記録媒体読取手段により受け入れた記録媒体から読取られた識別情報が前記設定手段により設定された識別情報に一致するか否かに応じて当該受け入れた記録媒体が前記第２の記録媒体であるか前記第１の記録媒体であるかを判定する手段である
ことを特徴とする請求項１記載の記録媒体精算装置。
【請求項３】
前記設定手段は、
前記第２の記録媒体として運用される記録媒体の識別情報を対象にした１または複数の範囲を設定する手段であり、
前記判定手段は、
前記記録媒体読取手段により受け入れた記録媒体から読取られた識別情報が前記設定手段により設定された識別情報の範囲内にあるか否かに応じて当該受け入れた記録媒体が前記第２の記録媒体であるか前記第１の記録媒体であるかを判定する
ことを特徴とする請求項１記載の記録媒体精算装置。
【請求項４】
前記第１の記録媒体は、磁気記録式の会員カードであり、
前記第２の記録媒体は、前記会員カードの同等品に該会員カードとは異なる識別情報が記録された店内用カードである
ことを特徴とする請求項１記載の記録媒体精算装置。
【請求項５】
前記第１の記録媒体は、ＩＣ記録式の会員用記録媒体であり、
前記第２の記録媒体は、前記会員用記録媒体の同等品に該会員用記録媒体とは異なる識別符号を記録して成る店内用記録媒体である
ことを特徴とする請求項１記載の記録媒体精算装置。
【請求項６】
所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置と、前記第１及び第２の記録媒体の識別情報と有価価値をそれぞれ対応付けて管理する管理装置とから成る記録媒体精算システムにおいて、
前記記録媒体精算装置は、
前記第１または第２の記録媒体のいずれかを受け入れ、該受け入れた記録媒体に記録された情報を読取る記録媒体読取手段と、
前記記録媒体読取手段により読取られた識別情報を前記管理装置に送信する送信手段と、
前記識別情報の送信に対応して前記管理装置から通知される記録媒体種別判定結果を受信する受信手段と、
前記受信手段により受信された前記記録媒体種別判定結果が、前記記録媒体読取手段に受け入れた記録媒体が前記第２の記録媒体であるとの判定結果である場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段と
を具備し、
前記管理装置は、
前記第２の記録媒体の運用条件を設定する設定手段と、
前記送信手段から送信される前記識別情報と、前記設定手段により設定された前記運用条件に基づき、前記記録媒体読取手段に受け入れた記録媒体が前記第２の記録媒体であるか否かを判定する判定手段と、
前記判定手段による判定結果を前記記録媒体種別判定結果として前記記録媒体精算装置に通知する通知手段と
を具備することを特徴とする記録媒体精算システム。
【請求項７】
前記設定手段は、
前記第２の記録媒体として運用される記録媒体の識別情報を個々に設定する手段であり、
前記判定手段は、
前記送信手段から送信される前記識別情報が前記設定手段により設定された識別情報に一致するか否かに応じて前記記録媒体読取手段に受け入れた記録媒体が前記第２の記録媒体であるか前記第１の記録媒体であるかを判定する手段である
ことを特徴とする請求項６記載の記録媒体精算システム。
【請求項８】
前記設定手段は、
前記第２の記録媒体として運用される記録媒体の識別情報を対象にした１または複数の範囲を設定する手段であり、
前記判定手段は、
前記送信手段から送信される前記識別情報が前記設定手段により設定された識別情報の範囲内にあるか否かに応じて前記記録媒体読取手段に受け入れた記録媒体が前記第２の記録媒体であるか前記第１の記録媒体であるかを判定する
ことを特徴とする請求項６記載の記録媒体精算システム。
【請求項９】
所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置と、前記第１及び第２の記録媒体の識別情報と有価価値をそれぞれ対応付けて管理する管理装置とから成る記録媒体精算システムにおいて、
前記管理装置は、
前記第２の記録媒体の運用条件を設定する設定手段と、
前記設定手段により設定された前記運用条件を前記記録媒体精算装置に通知する通知手段と
を具備し、
前記記録媒体精算装置は、
前記通知手段により通知される前記運用条件を保持する保持手段と、
前記第１または第２の記録媒体のいずれかを受け入れ、該受け入れた記録媒体に記録された情報を読取る記録媒体読取手段と、
前記記録媒体読取手段により読取られた識別情報と、前記保持手段により保持された前記運用条件に基づき、前記記録媒体読取手段に受け入れた記録媒体が前記第２の記録媒体であるか否かを判定する判定手段と、
前記判定手段により、前記記録媒体読取手段に受け入れた記録媒体が前記第２の記録媒体であると判定された場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段と
を具備することを特徴とする記録媒体精算システム。
【請求項１０】
前記設定手段は、
前記第２の記録媒体として運用される記録媒体の識別情報を個々に設定する手段であり、
前記判定手段は、
前記記録媒体読取手段により受け入れた記録媒体から読取られた識別情報が前記設定手段により設定された識別情報に一致するか否かに応じて当該受け入れた記録媒体が前記第２の記録媒体であるか前記第１の記録媒体であるかを判定する手段である
ことを特徴とする請求項９記載の記録媒体精算システム。
【請求項１１】
前記設定手段は、
前記第２の記録媒体として運用される記録媒体の識別情報を対象にした１または複数の範囲を設定する手段であり、
前記判定手段は、
前記記録媒体読取手段により受け入れた記録媒体から読取られた識別情報が前記設定手段により設定された識別情報の範囲内にあるか否かに応じて当該受け入れた記録媒体が前記第２の記録媒体であるか前記第１の記録媒体であるかを判定する
ことを特徴とする請求項９記載の記録媒体精算システム。
【発明の詳細な説明】
【技術分野】
【０００１】
本発明は、パチンコ、スロットマシンなどの遊技機が設置された遊技店において、プリペイドカードや会員カードなどの記録媒体に関連付けられた有価価値に基づいて貨幣の精算を行う記録媒体精算装置に係わり、詳しくは、会員カード等の第１の記録媒体を店内用カード等の第２の記録媒体として運用する場合における第２の記録媒体の運用設定及び回収制御の改良に関する。
【背景技術】
【０００２】
従来、パチンコ玉やメダル等の遊技媒体を遊技機に投入して遊技を行うパチンコ台やスロットマシンなどの遊技機が知られている。これらの遊技機が配置された遊技場において、昨今はプリペイドカードあるいは会員カードなどの各種カードが使用されることが多い。
【０００３】
一般的なパチンコ用プリペイドカードは、遊技場のカード発行機に貨幣を投入して所定のカード発行操作を行えば発行されるもので、１０００円、５０００円などの各種金額分の度数を有する。
【０００４】
プリペイドカードにはカード毎に設定される識別符号（カードＩＤ）が記録されており、該識別符号毎の残度数が管理装置に記録されており、カードが使用されると管理装置の残度数が書き換えられる。プリペイドカードは磁気ストライプを有する紙製であり、使い捨てになっている。
【０００５】
一方、会員カードは、会員登録を行った遊技客に発行されるもので、会員には、非会員には受けられない各種サービスが設定されており、遊技ホールとしては、固定客の囲い込みを図ることができる。
【０００６】
会員カードは、長期間にわたって繰り返して使用されることが想定されるので、比較的耐久性が高い材質の磁気カード（例えば、ＪＩＳ２カード）が採用されることが多い。会員カードには、会員毎に設定される識別符号（会員ＩＤ）が記録されており、管理装置では会員ＩＤ毎に会員情報が記録、管理されている。
【０００７】
会員カードにおいても、カード発行機などで貨幣を投入して所定の価値付け操作を行うことで、管理装置に度数情報を登録することができる。会員カードが使用されると管理装置の残度数が書き換えられる。
【０００８】
上述した各種のカードを用いる遊技場システムでは、遊技終了時等にカードの残度数を貨幣に精算するためカード精算機が設けられていることが多い。カードに残度数がある時、遊技客がこのカードをカード精算機に挿入して所定の精算操作を行えば、カードの残度数分の貨幣を投出させることができる。
【０００９】
この種の従来のカード精算機としては、下記特許文献１に記載されるように、プリペイドカードや会員カードなど、複数の異なる種類のカードの精算処理を１台の装置で実現可能な構成が知られている。
【００１０】
ところで、上述したように、プリペイドカードは、使い捨てが原則であるため、紙カードとはいいながら、ランニングコストが高くならざるを得ない。
【００１１】
こうした背景から、今日では、会員カードと同等品である店内用カードを複数用意し、該店内用カードをビジター客に貸与して運用する遊技ホールが増えつつある。
【００１２】
この場合、ビジター客は、入店時に店内用カードを借り受け、当該カードに価値付けを行ったうえで、遊技を行うと共に、遊技終了後、あるいは精算処理終了後には、店内用カードは遊技ホールによって回収され、繰り返して利用される。
【特許文献１】特開２００２−２８２５２２号公報
【発明の開示】
【発明が解決しようとする課題】
【００１３】
上記の如く、会員カードを店内用カードとして運用する場合、特許文献１に記載のカード精算機を用いて当該店内用カードの精算を行うと、精算後の残度数の有無にかかわらず当該店内用カードは必ず返却（排出）されることになる。
【００１４】
これは、店内用カードは会員カードと同等品であり、該店内用カードが挿入されると、カード精算機では、挿入カードが会員カードあると判定して、精算後には必ず返却するという通常通りの精算処理を実行するからである。
【００１５】
このように、従来のカード精算機では、店内用カードを精算すると必ず返却する構成であったため、店内用カードを返却されたビジター客が、必要がなくなった当該カードを捨てたり、あるいは、持ち帰ってしまうケースが生じる。
【００１６】
このため、前者の場合には、精算後の店内用カードがカード精算機の周辺に散乱して店内の美観を損ねることになり、更には、当該カードの収集作業に店員が多大な労力を強いられることになった。
【００１７】
また、後者の場合には、精算後の店内用カードをビジター客が持ち帰ることで、再利用できなくなり、新しいカードを供給する必要性からコストアップを招来することになった。
【００１８】
本発明は上記問題点を解消し、会員カード等の第１の記憶媒体の同等品を店内用カード等の第２の記録媒体として運用する場合、第２の記録媒体を効率良く機内に回収でき、第２の記録媒体が捨てられることで店内の美観を損ねたり、第２の記録媒体が持ち帰られて再利用不能になることを防止できると共に、第２の記録媒体の運用設定を容易に行える記録媒体精算装置及びシステムを提供することを目的とする。
【課題を解決するための手段】
【００１９】
上記目的を達成するために、請求項１記載の発明は、所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置において、前記第２の記録媒体の運用条件を設定する設定手段と、前記第１または第２の記録媒体のいずれかを受け入れ、該受け入れた記録媒体に記録された情報を読取る記録媒体読取手段と、前記記録媒体読取手段により読み取られた識別情報と、前記設定手段により設定された運用条件に基づき、前記記録媒体読取手段に受け入れた記録媒体が前記第２の記録媒体であるか否かを判定する判定手段と、前記判定手段により、前記記録媒体読取手段に受け入れた記録媒体が前記第２の記録媒体であると判定された場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段とを具備することを特徴とする。
【００２０】
請求項２記載の発明は、上記請求項１記載の発明において、前記設定手段は、前記第２の記録媒体として運用される記録媒体の識別情報を個々に設定する手段であり、前記判定手段は、前記記録媒体読取手段により受け入れた記録媒体から読取られた識別情報が前記設定手段により設定された識別情報に一致するか否かに応じて当該受け入れた記録媒体が前記第２の記録媒体であるか前記第１の記録媒体であるかを判定する手段であることを特徴とする。
【００２１】
請求項３記載の発明は、上記請求項１記載の発明において、前記設定手段は、前記第２の記録媒体として運用される記録媒体の識別情報を対象にした１または複数の範囲を設定する手段であり、前記判定手段は、前記記録媒体読取手段により受け入れた記録媒体から読取られた識別情報が前記設定手段により設定された識別情報の範囲内にあるか否かに応じて当該受け入れた記録媒体が前記第２の記録媒体であるか前記第１の記録媒体であるかを判定することを特徴とする。
【００２２】
請求項４記載の発明は、上記請求項１記載の発明において、前記第１の記録媒体は、磁気記録式の会員カードであり、前記第２の記録媒体は、前記会員カードの同等品に該会員カードとは異なる識別情報が記録された店内用カードであることを特徴とする。
【００２３】
請求項５記載の発明は、上記請求項１記載の発明において、前記第１の記録媒体は、ＩＣ記録式の会員用記録媒体であり、前記第２の記録媒体は、前記会員用記録媒体の同等品に該会員用記録媒体とは異なる識別符号を記録して成る店内用記録媒体であることを特徴とする。
【００２４】
請求項６記載の発明は、所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置と、前記第１及び第２の記録媒体の識別情報と有価価値をそれぞれ対応付けて管理する管理装置とから成る記録媒体精算システムにおいて、前記記録媒体精算装置は、前記第１または第２の記録媒体のいずれかを受け入れ、該受け入れた記録媒体に記録された情報を読取る記録媒体読取手段と、前記記録媒体読取手段により読取られた識別情報を前記管理装置に送信する送信手段と、前記識別情報の送信に対応して前記管理装置から通知される記録媒体種別判定結果を受信する受信手段と、前記受信手段により受信された前記記録媒体種別判定結果が、前記記録媒体読取手段に受け入れた記録媒体が前記第２の記録媒体であるとの判定結果である場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段とを具備し、前記管理装置は、前記第２の記録媒体の運用条件を設定する設定手段と、前記送信手段から送信される前記識別情報と、前記設定手段により設定された前記運用条件に基づき、前記記録媒体読取手段に受け入れた記録媒体が前記第２の記録媒体であるか否かを判定する判定手段と、前記判定手段による判定結果を前記記録媒体種別判定結果として前記記録媒体精算装置に通知する通知手段とを具備することを特徴とする。
【００２５】
請求項７記載の発明は、上記請求項６記載の発明において、前記設定手段は、前記第２の記録媒体として運用される記録媒体の識別情報を個々に設定する手段であり、前記判定手段は、前記送信手段から送信される前記識別情報が前記設定手段により設定された識別情報に一致するか否かに応じて前記記録媒体読取手段に受け入れた記録媒体が前記第２の記録媒体であるか前記第１の記録媒体であるかを判定する手段であることを特徴とする。
【００２６】
請求項８記載の発明は、上記請求項６記載の発明において、前記設定手段は、前記第２の記録媒体として運用される記録媒体の識別情報を対象にした１または複数の範囲を設定する手段であり、前記判定手段は、前記送信手段から送信される前記識別情報が前記設定手段により設定された識別情報の範囲内にあるか否かに応じて前記記録媒体読取手段に受け入れた記録媒体が前記第２の記録媒体であるか前記第１の記録媒体であるかを判定することを特徴とする。
【００２７】
請求項９記載の発明は、所定の登録手続を行った遊技客が占有する第１の記録媒体と、前記第１の記録媒体と同等品であり、使用時のみ遊技客に貸し出す第２の記録媒体とによってそれぞれ特定される有価価値に基づき貨幣の精算を行う記録媒体精算装置と、前記第１及び第２の記録媒体の識別情報と有価価値をそれぞれ対応付けて管理する管理装置とから成る記録媒体精算システムにおいて、前記管理装置は、前記第２の記録媒体の運用条件を設定する設定手段と、前記設定手段により設定された前記運用条件を前記記録媒体精算装置に通知する通知手段とを具備し、前記記録媒体精算装置は、前記通知手段により通知される前記運用条件を保持する保持手段と、前記第１または第２の記録媒体のいずれかを受け入れ、該受け入れた記録媒体に記録された情報を読取る記録媒体読取手段と、前記記録媒体読取手段により読取られた識別情報と、前記保持手段により保持された前記運用条件に基づき、前記記録媒体読取手段に受け入れた記録媒体が前記第２の記録媒体であるか否かを判定する判定手段と、前記判定手段により、前記記録媒体読取手段に受け入れた記録媒体が前記第２の記録媒体であると判定された場合、該第２の記録媒体に関連付けられた有価価値に対応する貨幣の精算処理後、該第２の記録媒体に対応する有価価値が残っている時には当該第２の記録媒体を前記記録媒体読取手段から返却し、前記有価価値が残っていない時には当該第２の記録媒体を機内に回収する制御を行う制御手段とを具備することを特徴とする。
【００２８】
請求項１０記載の発明は、上記請求項９記載の発明において、前記設定手段は、前記第２の記録媒体として運用される記録媒体の識別情報を個々に設定する手段であり、前記判定手段は、前記記録媒体読取手段により受け入れた記録媒体から読取られた識別情報が前記設定手段により設定された識別情報に一致するか否かに応じて当該受け入れた記録媒体が前記第２の記録媒体であるか前記第１の記録媒体であるかを判定する手段であることを特徴とする。
【００２９】
請求項１１記載の発明は、上記請求項９記載の発明において、前記設定手段は、前記第２の記録媒体として運用される記録媒体の識別情報を対象にした１または複数の範囲を設定する手段であり、前記判定手段は、前記記録媒体読取手段により受け入れた記録媒体から読取られた識別情報が前記設定手段により設定された識別情報の範囲内にあるか否かに応じて当該受け入れた記録媒体が前記第２の記録媒体であるか前記第１の記録媒体であるかを判定することを特徴とする。
【発明の効果】
【００３０】
本発明によれば、所定の登録手続を行った遊技客が占有する第１の記録媒体と同等品であって、使用時のみ遊技客に貸し出す第２の記録媒体の運用条件を設定する設定手段を有し、第１または第２の記録媒体のいずれかを受け入れて情報を読取る記録媒体読取手段により読み取られた識別情報と、上記設定手段により設定された運用条件に基づき、該受け入れた記録媒体が第２の記録媒体であると判定された場合、該第２の記録媒体に関連付けられた有価価値に対応する貨幣の精算処理後、該第２の記録媒体に対応する有価価値が残っていない時には当該第２の記録媒体を機内に回収する制御を行うものである。
【００３１】
この構成によれば、例えば、第１の記録媒体を会員カードとし、該第１の記録媒体の同等品を店内用カードとして運用する場合、精算後に有価価値が残っていない店内用カードを機内に回収する制御を通じて、精算後にビジター客に返却されて捨てられる店内用カードの数を減らして店内の美観維持を図れると共に、機内に回収される店内用カードの枚数増に合わせて当該店内用カードの再利用効率を向上させることができ、店内用カードの運用コスト低減にも貢献できる。
【００３２】
また、本発明によれば、上記設定手段において、例えば、第２の記録媒体として運用される記録媒体の識別情報を個々あるいは１または複数の範囲で設定し、記録媒体読取手段により受け入れた記録媒体から読取られた識別情報が設定手段により設定された識別情報に一致するか否かあるいは設定範囲内にあるか否かに応じて当該受け入れた記録媒体が第２の記録媒体であるか第１の記録媒体であるかを判定するため、挿入された記録媒体が第２の記録媒体であることを判別して機内への回収制御を行うに際し、第１の記録媒体に対応する識別符号とは異なる第２の記録媒体に対応する識別符号を個々にあるいは範囲で設定すれば良く、第２の記録媒体の運用設定を容易に行うことができる。
【発明を実施するための最良の形態】
【００３３】
以下、本発明の実施形態について添付図面を参照して詳細に説明する。
【００３４】
なお、本実施の形態では、主として本発明をパチンコ遊技に適用した場合を示すこととする。
【００３５】
図１は、本発明に係わる遊技システムの全体構成を示すブロック図である。
【００３６】
この遊技システムでは、「島」と呼ばれるグループごとに複数の遊技機１０を配設している。また、各遊技機１０には、遊技媒体であるパチンコ玉を貸し出すカード処理ユニット２０がそれぞれ配設されている。
【００３７】
カード処理ユニット２０は、遊技機１０と遊技機１０との間（台間）にそれぞれ配設されており、遊技機１０が備える玉投出機構と連携してパチンコ玉の貸し出しを行う。
【００３８】
カード処理ユニット２０の前面パネルには、紙幣投入口、硬貨投入口、カード挿入口、金額表示部などが設けられており、遊技機１０には、度数表示部、貸出ボタンなどが設けられている。
【００３９】
遊技者は、予め、カード処理ユニット２０にプリペイドカードや会員カードなどのカード（場合によっては、さらに現金）を投入するとともに、必要に応じて貸出単位（１回の貸出操作により貸し出される度数）を設定しておく。
【００４０】
遊技者が貸出ボタンを操作すると、玉投出機構が作動し、遊技機１０の上皿へと貸出単位分のパチンコ玉が投出される。この投出代金は、カードの識別データに対応してあらかじめ登録されている度数から減算される。
【００４１】
カード処理ユニット２０にプリペイドカードあるいは会員カードが装填された状態で、貨幣が直接投入された場合には、貨幣を受け入れて、プリペイドカードあるいは会員カードに価値を追加することも可能である。遊技者は、このようにして貸し出された玉を用いて、遊技機１０において遊技を行う。
【００４２】
島の端部には、図示しない島端金庫が設置されており、カード処理ユニット２０に投入された現金は、遊技者の目に触れないように遊技機１０等の背面側に設置された図示しない搬送機構によって回収され、この島端金庫へと収容される。この他、ホール内には、カードを管理するためのカード発行機４０、本発明の要部であるカード精算機５０が適宜設けられている。
【００４３】
管理装置としてのターミナルコントローラ（Ｔ／Ｃ）６０は、ローカルエリアネットワーク（ＬＡＮ）７０を介して島コントローラ３０に接続されている。
【００４４】
Ｔ／Ｃ６０は、各カードの度数情報（有価価値）を含む各種情報を管理しており、カード処理ユニット２０にプリペイドカードあるいは会員カードが挿入されたならば、このカード内の識別データが島コントローラ３０を介してＴ／Ｃ６０に転送され、該Ｔ／Ｃ６０から識別データに対応する価値データ（残度数：有価価値）がカード処理ユニット２０に返送される。
【実施例１】
【００４５】
ここで、図１に示すような基本構成を有する実施例１に係わる遊技システムで用いられるカードの種類およびカード発行機４０について説明する。
【００４６】
本実施例のシステムでは、主に、プリペイドカード４１、会員カード４３、店内用カード４５の３種類の磁気記録カードが用いられている。
【００４７】
プリペイドカード４１は、基本的には、カード発行機４０にて貨幣などを受け入れて発行される紙製の磁気記録カードであり、磁気記録されるデータの種類には、スタートコード、エンドコード、発行店コード、カードＩＤ（発行機番号＋連番）、発行日、発行金額、カード種別（プリペイドカードとサービスカード等の区別）などがある。
【００４８】
また、プリペイドカード４１上に目視可能に印字される情報は、例えば、図２（ａ）に示すように、発行店名、カードＩＤ（発行機番号＋連番）、発行日、有効期限、発行金額、カード種別（プリペイドカードとサービスカード等の区別）などである。
【００４９】
プリペイドカード４１を発行するため、カード発行機４０に貨幣またはデビットカードを投入して所定の発行操作を行うと、プリペイドカード４１に所定事項が印字・記録されて、プリペイドカード４１が発行される。
【００５０】
カード発行機４０からＴ／Ｃ６０にプリペイドカード４１のカードＩＤ、発行金額などが送出され、Ｔ／Ｃ６０のテーブル（プリペイドカード管理テーブル６３５：図１参照）に有価価値（発行金額に対応する残度数）等がカードＩＤに対応付けられて書き込まれ、カードがカード処理ユニット２０などで使用可能になる。
【００５１】
会員カード４３は、会員登録処理を行うことによって発行される。会員登録を希望する遊技客は、申し込み書に所定事項を記入して担当の店員に渡す。店員は、所定事項をＴ／Ｃ６０に登録して該利用者を会員として登録し、Ｔ／Ｃ６０にテーブル（会員管理テーブル６３１：図１参照）を作成する。そして、会員カード４３を遊技客（会員）に手渡す。
【００５２】
会員カード（磁気ストライプ上）４３に磁気記録されるデータの種類は、スタートコード、エンドコード、発行店コード、会員ＩＤ、最終店コードなどがあり、また、会員カード４３上に目視可能にエンボス印字される情報には、例えば、図２（ｂ）に示すように、発行店名、会員コード、販売会社コード、店コードなどを含んでいる。
【００５３】
会員が会員カード４３をカード発行機４０に挿入し、貨幣またはデビットカードを投入し、所定の操作を行って価値付けを指示すると、会員カード４３の会員ＩＤ、価値付けされた有価価値（発行金額に対応する残度数）などがカード発行機４０からＴ／Ｃ６０に送られ、Ｔ／Ｃ６０のテーブルに有価価値等が会員ＩＤに対応付けられて書き込まれる。そして、この会員カード４３がカード処理ユニット２０などで使用可能になる。
【００５４】
店内用カード４５は、上述した会員カード４３と同等のカードを、遊技客（ビジター客：非会員）に遊技店側から貸し与え、使用が終わる（遊技終了後、あるいは精算終了後）と遊技店が回収して再利用するものである。
【００５５】
遊技客（ビジター客）が店内用カードの貸し出しを店員に申し出ると、店員は、店内用カード専用のカードＩＤ（会員カード４３のカードＩＤと異なる値）をＴ／Ｃ６０に登録して該Ｔ／Ｃ６０にテーブル（店内用カード管理テーブル６３３：図１参照）を作成した後、該店内用カード４５を遊技客（ビジター客）に手渡す。尚、店内用カードの登録処理については、遊技客の申し出を受ける都度行わずに、開店前等に一括して行うようにしても良い。
【００５６】
店内用カード４５（磁気ストライプ上）に磁気記録されるデータの種類は、会員コードが非会員用のカードＩＤ（各カード毎に固有）に変わる以外は会員カード４３と同じであり、また、店内用カード４５上に目視可能にエンボス印字される情報も、例えば、図２（ｃ）に示すように、会員コードが非会員コードに変わる以外は会員カード４３と同じである。但し、一目で区別がつくようにシール等を貼り付けるようにしても良い。
【００５７】
遊技客が店内用カード４５をカード発行機４０に挿入し、貨幣またはデビットカードを投入し、所定の操作を行って価値付けを指示すると、店内用カード４５のカードＩＤ、価値付けされた有価価値（投入金額に対応する残度数）などがカード発行機４０からＴ／Ｃ６０に送られ、Ｔ／Ｃ６０のテーブルに有価価値等がカードＩＤに対応付けられて書き込まれる。そして、この店内用カード４５がカード処理ユニット２０などで使用可能になる。
【００５８】
図２に示したカードのうち、プリペイドカード４１と会員カード４３とは、材質（ＪＩＳ２などのプラスチック製あるいは紙製）および厚みは異なるが、サイズ（縦横）および磁気ストライプの位置は同じである。
【００５９】
また、店内用カード４５は、会員カード４３と同等品であるが、互いに異なったカードＩＤを持たせることにより、各カードの種別判別と運用を実現している。
【００６０】
次に、Ｔ／Ｃ６０の構成及び動作について説明する。
【００６１】
Ｔ／Ｃ６０は、遊技システム全体を制御統括するコントローラであり、ＰＣ（パーソナル・コンピュータ）等の情報処理端末により構成される。
【００６２】
なお、図１においては、Ｔ／Ｃ６０の構成要素として、メモリ６３、マウスやキーボード等の入力装置６４、ＣＲＴ等の表示装置６５しか図示していないが、実際には、例えば、図１５に示す実施例２に係わるＴ／Ｃ６０Ｂのように、ＣＰＵ６１、ハードディスク等の記憶装置６２、ＬＡＮ７０を介してカード精算機５０等との通信を行う通信部６６等も備えている。
【００６３】
但し、実施例１に係わるＴ／Ｃ６０は、メモリ６３内に店内用カード運用設定テーブル６３７は備えてない。
【００６４】
このＴ／Ｃ６０では、ＣＰＵ６１が、メモリ６３に格納されている様々なプログラムを読み込んで実行することで各種機能を実現している。たとえば、各遊技者の残度数を管理する機能を有する。また、表示装置６５の表示画面に所定の設定画面を表示させ、この設定画面上において自動貸出度数の設定を受け付ける機能も有する。
【００６５】
これらの機能を実現するにあたって必要なプログラムおよびデータは、メモリ６３あるいは記憶装置６２に格納されており、ＣＰＵ６１が必要に応じてこれを読み出しまたは更新する。
【００６６】
メモリ６３は、度数管理テーブルとして、会員管理テーブル６３１、店内用カード管理テーブル６３３及びプリペイドカード管理テーブル６３５を有しており、これら各管理テーブル６３１，６３３，６３５を用いて会員情報、店内用カード情報並びにプリペイドカード情報が別々に管理されている。
【００６７】
会員管理テーブル６３１は、図３に示すように、会員コード（識別データ）別に、貯玉数、残度数、来店回数、来店ポイント、入会月日、住所、氏名、電話番号および追加入金額、デビット入金などの各種データが記憶されている。
【００６８】
この場合、残度数の欄には、カード発行機４０またはカード処理ユニット２０での追加入金も含めた現時点の残度数データが登録されている。また、追加入金額の欄には、カード発行機４０またはカード処理ユニット２０での追加入金の累積額が登録されている。デビット入金の欄には、現時点での残度数がデビットカードでの入金を含んでいるか否かが登録されている。
【００６９】
店内用カード管理テーブル６３３は、図４に示すように、各店内用カードに対応する非会員コード（カードＩＤ）別に、発行月日、発行金額、残度数、再発行回数、追加入金額、デビット入金などの各種データが記憶されている。
【００７０】
この場合、残度数の欄には、カード発行機４０またはカード処理ユニット２０での追加入金も含めた現時点の残度数データが登録されている。また、追加入金額の欄には、カード発行機４０またはカード処理ユニット２０での追加入金の累積額が登録されている。デビット入金の欄には、現時点での残度数がデビットカードでの入金を含んでいるか否かが登録されている。
【００７１】
プリペイドカード管理テーブル６３５は、図５に示すように、カードＩＤ毎に、発行日時、発行金額、残度数、再発行回数、有効期限、追加入金額、デビット入金などの各種データが記憶されている。残度数の欄には、カード処理ユニット２０での追加入金も含めた現時点の残度数データが登録されている。また、追加入金額の欄には、カード処理ユニット２０での追加入金の累積額が登録されている。デビット入金の欄には、現時点での残度数がデビットカードでの入金を含んでいるか否かが登録されている。
【００７２】
Ｔ／Ｃ６０は、上記管理テーブル６３１，６３３，６３５に記憶された度数管理情報を用いて、対応する各カード４１，４３，４５に記録された識別データ（カードＩＤ）に対応する残度数を管理している。この度数管理情報の内容は、遊技者による遊技中、あるいは、遊技の終了時に適宜更新される。
【００７３】
次に、本実施例に係わるカード精算機５０について詳述する。本実施例のシステムにおいて、カード精算機５０は、プリペイドカード（紙製の磁気カード）４１、会員カード（ＪＩＳ２カード）４３及び店内用カード（ＪＩＳ２カード）を取り扱う。
【００７４】
会員カード４３，店内用カード４５には、上述したように、予めカード発行機４０等で入金がされており、利用者は入金額に応じた度数分の利用が可能であるが、希望により残度数をカード精算機５０により精算可能である。同様に、店内用カード４５も、カード発行機４０等での入金額に応じた度数分の利用が可能であるが、希望により残度数をカード精算機５０により精算可能である。
【００７５】
また、プリペイドカード４１も、予めカード発行機４０等で購入されており、利用者はカードの度数分の利用が可能であるが、希望により残度数をカード精算機５０により精算可能である。
【００７６】
カード精算の動作の概要を次の通りである。すなわち、プリペイドカード４１または会員カード４３若しくは店内用カード４５をカード精算機５０に挿入すると、カード残度数を判別し、残度数に応じて貨幣を払出す。
【００７７】
尚、前述したように、カード自体に有価価値（度数・金額）が記録されているわけではなく、カードには固有の識別符号（会員コード、カードＩＤ等）が記録されている。
【００７８】
カード精算機５０は、Ｔ／Ｃ６０に接続されており、識別符号とそれに対応する有価価値（度数・金額）をＴ／Ｃ６０で照合し、払い出し金額を算出している。
【００７９】
精算は、千円札と１００円硬貨で行われる。設定により千円札と５００円硬貨での払い出しも可能である。精算後、会員カード４３は返却され、プリペイドカード４１は機内の回収箱に取り込まれる。
【００８０】
また、店内用カード４５は、精算後、精算残額（有価価値）が残っているか否かがチェックされ、精算残額がある時には当該カード精算機５０から返却し、精算残額がない時には当該カード精算機５０の機内に回収される。
【００８１】
図６は、カード精算機５０の正面部の外観構成を示す図である。カード精算機５０は箱形の本体部５１を有しており、前面には片開き状の扉体５２が備えられている。扉体５２は錠機構５２１によって施錠可能になっている。
【００８２】
扉体５２の前面には、精算するプリペイドカード４１の挿入および返却（精算残額有り時、精算取消時等）のためのプリペイドカード挿入／排出口５２３と、精算する会員カード４３や店内用カード４５の挿入および返却のための会員カード挿入／排出口５２２と、カードの残り度数と精算可能金額などが表示可能な液晶表示部５２４と、カードを精算する意志を指示する精算ボタン５２５と、カードの精算中止を指示する取消ボタン５２６と、精算紙幣を払い出す紙幣払出口５２７と、精算硬貨を払い出す硬貨払出口５２８とが備えられている。
【００８３】
図７はカード精算機５０の本体部５１に内蔵されている各構成要素の配置を示すものであり、図８はこれら各構成要素並びに扉体５２付設の各構成要素間の接続を示す機能構成ブロック図である。
【００８４】
図７および図８において、５１１は会員カード処理装置、５１２はプリペイドカード処理装置、５１３はカード回収箱、５１４は紙幣処理装置、５１５は硬貨処理装置、５１６はハンディ端末機（実際には、扉体５２の裏面側に設けられる）、５１７はジャーナルプリンタ、５１８は制御基板（制御部）、５１９は電源装置である。
【００８５】
会員カード処理装置５１１は、会員カード挿入／排出口５２３へ挿入されたカード（会員カード４３若しくは店内用カード４５）の磁気データ（会員番号やカードＩＤ等の識別符号）を読み取る動作を行う。
【００８６】
挿入されたカードが会員カード４３の場合は、精算後、カードは当該会員カード挿入／排出口５２２より外部に返却される。
【００８７】
また、挿入されたカードが店内用カード４５の場合は、精算後、精算残額がある場合には、当該カードは会員カード挿入／排出口５２２より外部に返却され、精算残額がない場合には会員カード処理装置５１１のカード搬送機構（図９参照）端部に設けられるカード回収口８０ａから投出され、例えば、シュート部材５３１（図１４参照）を通じて機内（カード回収箱５１３）に回収される。
【００８８】
プリペイドカード処理装置５１２は、プリペイドカード挿入／排出口５２３ヘ挿入されたプリペイドカード４１の磁気データ（カード番号、店コード、発行日時等の識別符号）を読み取る動作を行う。プリペイドカード４１の場合、全額が精算された後は、カードを機内に取り込み、カード回収箱５１３に収納する。
【００８９】
なお、カード回収箱５１３は、通常は、精算済みのプリペイドカード４１を収納するためのものであるが、本発明のシステムでは、精算時に精算残額が残っていない店内用カード４５を機内に回収する際の店内用カード回収箱としても兼用可能である。
【００９０】
カード回収箱５１３を店内用カード４５のカード回収箱として兼用可能にするために、本発明のシステムでは、例えば、会員カード処理装置５１１のカード回収口８０ａの下部からカード回収箱５１３へと斜め下方に向けて連通されるシュート部材５３１（図１４参照）が設けられている。
【００９１】
会員カード処理装置５１１のカード回収口８０ａから投出されて落下した店内用カード４５は、上記シュート部材５３１上を滑ってカード回収箱５１３内に落ち込むようになっている。
【００９２】
紙幣処理装置５１４は、機器のオペレータによって収納部に補填された千円札を、精算時に収納部から繰り出し、保留部に集積後、まとめて紙幣払出口５２７から払い出す機能を有する。
【００９３】
硬貨処理装置５１５は、機器のオペレータによって硬貨ホッパに補填された１００円硬貨を精算時に硬貨払出口５２８から払い出す機能を有する。
【００９４】
ジャーナルプリンタ５１７は、精算履歴などが記録されたジャーナルを出力する。ハンディ端末機５１６は、店員がカード精算機５０の各種事柄を簡易設定するためのものである。
【００９５】
本実施例のシステムにおいて、ハンディ端末機５１６は、通常時は精算後に返却する会員カード４３を精算後に回収可能な店内用カード４５として運用することを設定する店内用カード運用設定手段としての機能を有する。
【００９６】
制御基板（制御部）５１８は、上述した各構成要素を制御するものであり、図８に示すように、Ｔ／Ｃ６０との通信を行う通信部５１８１、精算残額が無いことを判定して店内用カード４５を機内に回収する制御を行う店内用カード回収制御部５１８２、店内用カード４５の運用がある／なしを示す店内用カード運用指示情報並びに店内用カード４５として運用する会員コード（個々、あるいは範囲）を示す運用対象情報を保持する店内用コード運用設定テーブル５１８３を備えている。
【００９７】
図９は、会員カード処理装置５１１におけるカード搬送系の構成を示す図である。
【００９８】
図９に示すように、会員カード処理装置５１１は、会員カード４３（本発明では、店内用カード４５も対象となる）を挿入、排出（挿入時とは逆方向に搬送）する会員カード挿入／排出口５２２と、該会員カード挿入／排出口５２２から他端のカード回収口８０ａまでカード挿入方向に沿って連通されるカード搬送路８０を有すると共に、該カード搬送路８０に沿って、会員カード４３を搬入するためのカード搬送ローラ８１、カード搬送ローラ８１に圧接されて回動する従動ローラ８２、会員カード４３（または、店内用カード４５）の記録データを読取るための磁気ヘッド８３、磁気ヘッド８３に圧接されて回動するローラ８４、店内用カード４５が受け入れられて精算後に回収する際に当該店内用カード４５をカード回収口８０ａまで送出し搬送する送出しローラ８５、該送出しローラ８５に従動する従動ローラ８６を設置して構成される。
【００９９】
プリペイドカード処理装置５１２のカード搬送系も、当該会員カード処理装置５１１とほぼ同様の構成を有している。但し、磁気ヘッド８３は、プリペイドカード４１に記録されたデータを読み込む機能を有するものである。
【０１００】
なお、図９に示す構成において、符号８７で示す部分はＩＣカードに記録されたデータを読み取るＩＣカード読取部であり、会員カードとしてＩＣカードが採用される場合にのみ搭載される。
【０１０１】
上記会員カード処理装置５１１及びプリペイドカード処理装置５１２では、挿入された会員カード４３（あるいは店内用カード４５）またはプリペイドカード４１から、磁気ヘッド８３により、当該各カードに記録された磁気データをそれぞれ読取る機能を有することは勿論であるが、この他、当該会員カード処理装置５１１及びプリペイドカード処理装置５１２は、磁気ヘッド８３により読取られたデータに基づき、挿入された会員カード４３またはプリペイドカード４１の種別を判別する機能も有している。
【０１０２】
プリペイドカード４１および会員カード４３の種別判定は、次のような手法を用いて実現する。
【０１０３】
プリペイドカード４１に記録された磁気記録データには、所定のビット列（例えば１０１０１０の６ビット）から成るスタートコードＳＴＸおよびエンドコードＥＴＸ（例えば０１００００の６ビット）を有し、これらコードの間に前述した発行店コード、カードＩＤ（発行機番号＋連番）などの記録データが磁気記録されている。
【０１０４】
会員カード４３の磁気記録データも同様に、所定のビット列から成るスタートコードＳＴＸ（例えば１１１１００００の８ビット）およびエンドコードＥＴＸ（例えば００００１１１１の８ビット）を有し、これらコードの間に前述した発行店コード、会員ＩＤなどの記録データが磁気記録されている。
【０１０５】
従って、プリペイドカード４１の種別判定は次のようにして行うことができる。磁気ヘッド８３によって読み取った磁気データの最初の６ビットが、上記プリペイドカード４１のスタートコードのビット列（１０１０１０）と同じであるか否かをチェックし、一致している場合は、スタートコード以降の所定の記録データに対応するビット数をカウントして、エンドコードの位置を特定し、エンドコードがあるべき位置の６ビット分のデータを上記エンドコードのビット列（０１００００）と同じであるか否かをチェックし、これも一致した時に、当該読み取ったカードをプリペイドカード４１と判定し、その後スタートコードとエンドコードとの間の記録データをチェックしにいく。
【０１０６】
会員カード４３の種別判定も同様にして行われる。読み取った磁気データの最初の８ビットが、上記会員カード４３のスタートコードのビット列（１１１１００００）と同じであるか否かをチェックし、一致している場合は、スタートコード以降の所定の記録データに対応するビット数をカウントして、エンドコードの位置を特定し、エンドコードがあるべき位置の８ビット分のデータを上記会員カードのエンドコードのビット列（００００１１１１）と同じであるか否かをチェックし、これも一致した時に、当該読み取ったカードを会員カードと判定し、その後スタートコードとエンドコードとの間の記録データをチェックしにいく。
【０１０７】
このような磁気記録データのスタートコードおよびエンドコードによる種別判定によれば、プリペイドカード処理装置５１２側では、上述したプリペイドカード４１用のカード種別判定処理を実行し、会員カード処理装置５１１側では上述した会員カード４３用のカード種別判定処理を実行すればよい。
【０１０８】
上記構成を有するカード精算機５０において、プリペイドカード４１、会員カード４３並びに店内用カード４５を対象としたカード精算を開始するまでの手順について以下に説明する。
【０１０９】
上記精算準備として、まず、店員は、紙幣処理装置５１４に千円札を装填する。また、硬貨処理装置５１５には１００円硬貨を装填する。
【０１１０】
また、店員は、必要に応じて、カード精算機５０の扉体５２を開け、扉体５２の裏側に設置されたハンディ端末機５１６を用いて、会員カード４３と同等品を用いて店内用カード４５の運用を行うか否かの設定を行う。
【０１１１】
この場合、店員は、まず、ハンディ端末機５１６の所定のボタン操作に応じて、操作パネル上に店内用カード設定画面を表示させる。
【０１１２】
図１０は、ハンディ端末機５１６の操作パネルに表示される店内用カード設定画面５１６１の一例を示す図である。
【０１１３】
この店内用カード運用設定画面５１６１上には、店内用カード４５の運用を行うか否かを設定する項目「店内用カード運用  あり／なし」と、店内用カード４５として運用するカード番号（会員カードＮＯ．；カードＩＤ）の範囲を設定する項目「会員カードＮｏ．  範囲１，２，３，…」と、店内用カード４５として運用するカード番号（会員Ｎｏ．）の入力を促すメッセージ「テンキーで会員Ｎｏ．を入力してください」が表示されている。
【０１１４】
店員は、会員カード４３を店内用カード４５として運用するか否かを決定し、前者の場合には、上記運用設定画面５１６１上で、店内用カードの運用「あり」を選択し、後者の場合には、上記運用設定画面５１６１上で、店内用カードの運用「なし」を選択する。
【０１１５】
ここで店内用カードの運用「あり」を選択した場合は、次に、店員は、店内用カード４５として運用する会員カードＮＯ．の範囲を指定する項目の「範囲１」に対応する入力欄にカーソルを移し、店内用カード４５として運用する会員カード番号の範囲を、当該ハンディ端末機５１６の操作部５１６２に備わるテンキー等を用いて入力する。
【０１１６】
この例では、「範囲１」に対応する入力欄には、「５１００１〜５１１００」の会員カード番号の範囲が入力されている。
【０１１７】
店内用カード４５として運用する会員カード番号（この例では、番号の範囲）の入力が終わった後、操作部５１６２の「ＯＫ」ボタンを押下すると、上記操作内容に応じて、店内用カードの運用を行うか否かのいずれかを指示する運用指示情報と、店内用カードとして運用する会員カードの番号範囲（但し、店内用カードの運用を行う場合のみ）を指示する運用対象情報が生成され、制御部５１８に転送される。
【０１１８】
制御部５１８には、図８に示すように、店内用カード運用設定テーブル５１８３が備わり、上記ハンディ端末機５１６から転送された運用指示情報並びに運用対象情報から成る運用条件情報が当該店内用カード運用設定テーブル５１８３に格納される。
【０１１９】
図１１は、店内用カード運用設定テーブル５１８３に格納される運用条件情報の一例を示す図である。この例の場合には、店内用カード４５の運用を行う旨を示すフラグ「１」と、運用対象の会員カード番号の範囲「範囲１：５１００１〜５１１００」が格納されている。
【０１２０】
なお、店内用カードの運用「なし」の設定操作がなされた場合には、運用設定テーブル５１８３には、店内用カード４５の運用を行わない旨を示すフラグ「０」が格納される。
【０１２１】
上述した精算準備を終えた後、カード精算機５０でカードの精算を行う場合の動作について以下に述べる。
【０１２２】
図１２は、実施例１に係わるカード精算機５０におけるカード精算処理動作を示すフローチャートである。
【０１２３】
図１２において、制御部５１８は、会員カード挿入／排出口５２２またはプリペイドカード挿入／排出口５２３のいずれかに会員カード４３（あるいは、店内用カード４５）またはプリペイドカード４１が挿入されたか否かを監視している（ステップＳ１０１）。
【０１２４】
ここで挿入待ちの各カード４１，４３，４５は、それぞれ、カード発行機４０において、予め入金に応じた度数の関係付け（有価価値付け）がなされ（図１のステップ１）、その後、例えば、遊技機１０で投出された遊技媒体数分、あるいは追加入金額分の度数が加減算された（図１のステップ２）ものである。
【０１２５】
上記監視中、図１のステップ３に示すように、会員カード４３、店内用カード４５、プリペイドカード４１のいずれかが挿入されると（ステップＳ１０１ＹＥＳ）、当該カードを受け入れた会員カード処理装置５１１またはプリペイドカード処理装置５１２では、当該カードを搬送機構によって内部に取り込み、当該カードに記録された磁気データの読取りを行う。
【０１２６】
この読取り動作において、挿入されたカードを磁気ヘッド８３（図９参照）を用いて磁気読取り可能か否かをチェックし（ステップＳ１０２）、読取りが不可能であれば（ステップＳ１０２ＮＯ）、その旨（読取り不可能）を液晶表示部５２４に表示し（ステップＳ１２１）、挿入されたカードを返却する（ステップＳ１１２）。
【０１２７】
また、読取り可能であれば（ステップＳ１０２ＹＥＳ）、上記磁気ヘッド８３で読み取られたデータを用いて、挿入されたカードがプリペイドカード４１、会員カード４３、店内用カード４５のいずれかであるかのカード種別判定を行う（ステップＳ１０３）。
【０１２８】
このカード種別判定処理において、会員カード処理装置５１１またはプリペイドカード処理装置５１２では、各カードに磁気記録された上述したスタートコード及びエンドコードを用いた照合方式によって当該各カードの種別を判定する。
【０１２９】
なお、本発明では、店内用カード４５は会員カード４３と同等品であるため、上述した照合方式のみでは店内用カード４５は会員カード４３としてしか判定することができない。
【０１３０】
このため、会員カード４３であると判定された場合、更に、例えば、図１３に示すような方法で、当該会員カード４３が店内用カード４５であるか否かを判定する。
【０１３１】
図１３において、制御部５１８は、会員カード４３と判定されたカードから読取られた識別符号（カードＩＤ）を取得すると（ステップＳ２０１）、店内用カード運用設定テーブル５１８３を参照し（ステップＳ２０２）、店内用カード運用フラグが“１”であるか“０”であるか、つまり、店内用カード４５の運用を行うことが設定されているか否かをチェックする（ステップＳ２０３）。
【０１３２】
ここで、店内用カード４５の運用を行うことが設定されていない場合には（ステップＳ２０３ＮＯ）、当該挿入カードが会員カード４３であると判定し（ステップＳ２０６）、処理を終了する。
【０１３３】
また、店内用カード４５の運用を行うことが設定されている場合には（ステップＳ２０３ＹＥＳ）、次いで、取得したカードＩＤが店内用カード運用設定テーブル５１８３に設定された会員コード番号の範囲内にあるか否かをチェックする（ステップＳ２０４）。
【０１３４】
ここで、上記カードＩＤが店内用カード運用設定テーブル５１８３に設定された会員コード番号の範囲内にあれば（ステップＳ２０４ＹＥＳ）、当該挿入カードが店内用カード４５であると判定し（ステップＳ２０５）、上記会員コード番号の範囲内になければ（ステップＳ２０４ＮＯ）、当該カードが会員カード４３であると判定し（ステップＳ２０６）、処理を終了する。
【０１３５】
以上の処理により、例えば、図１０に示すように、店内用カード運用＝「あり」に対応して会員コード“５１００１〜５１１００”の範囲（範囲１）が設定されている状況下で、図２（ｂ）に示す非会員コード“５１００５”を持つ店内用カード４５が会員カード処理装置５１１に挿入された場合には、非会員コード“５１００５”が運用対象会員コード“５１００１〜５１１００”の範囲内に属する（ステップＳ２０４ＹＥＳ）ことにより、当該挿入カードが店内用カード４５であることが判定される。
【０１３６】
なお、図１３の例では、店内用カード４５の運用設定に関して、会員カード番号（カードＩＤ）の範囲を設定し、会員カード処理装置５１１において、挿入されたカードから読取ったカードＩＤが上記範囲内にある場合に当該挿入カードを店内用カード４５であると判定する処理方法を例示したが、この他、店内用カードとして運用される会員カード番号（カードＩＤ）を個々に設定し、挿入されたカードから読取られたカードＩＤが設定されたカードＩＤに一致する場合に店内用カード４５であると判定するようにしても良い。更には、当該ホールで運用される全ての会員カードのカードＩＤリストを表示し、その中から店内用カードとして運用するカードＩＤを選択的に設定するようにしても良い。
【０１３７】
上述した方法に基づくカード種別判定結果は、後述するステップＳ１１３でのカード種別判別等のために、例えば、制御部５１８内に保持しておく（ステップＳ１０３）。
【０１３８】
上記ステップＳ１０３でのカード種別判定処理の後、制御部５１８は、会員カード処理装置５１１またはプリペイドカード処理装置５１２によって受け入れたカードから読み取られたデータ中に含まれる識別符号（カードＩＤ）と上記ステップＳ１０３で判定したカード種別情報と共に、通信部５１８１を介してＴ／Ｃ６０に送信する（ステップＳ１０４）。
【０１３９】
その後、制御部５１８は、上記カードＩＤの送信に対応して、Ｔ／Ｃ６０から、該カードＩＤに対応する残度数及び精算可能金額が受信されたか否かの監視（ステップＳ１０５）を続ける。
【０１４０】
なお、この間、Ｔ／Ｃ６０では、カード精算機５０から送られてくるカードＩＤ及びカード種別を通信部６６により受信し、該受信したカード種別に基づき対応する会員管理テーブル６３１、店内用カード管理テーブル６３３及びプリペイドカード管理テーブル６３５のいずれかを特定して当該カードＩＤに対応する残度数を読み出すと共に、該残度数に対応する精算可能金額を算出し、これら残度数並びに精算可能金額を通信部を介してカード精算機５０に送出する。
【０１４１】
一方、カード精算機５０では、上記カードＩＤ及びカード種別情報の送信後、Ｔ／Ｃ６０からの応答監視中に、通信部５１８１により、残度数並びに精算可能金額を受信すると（ステップＳ１０５ＹＥＳ）、該受信した残度数並びに精算可能金額を液晶表示部５２４上に精算処理画面を用いて表示する（ステップＳ１０６）。
【０１４２】
次いで、制御部５１８は、上記精算処理画面を表示後、所定時間が経過したか否かをチェックしながら（ステップＳ１０７）、所定時間が経過していない間（ステップＳ１０７ＮＯ）は、精算ボタン５２５が押下されたか否かをチェックする（ステップＳ１０８）。
【０１４３】
この間、精算ボタン５２５が押下されないまま所定時間が経過した場合（ステップＳ１０７ＹＥＳ）、制御部５１８は、その旨（タイムアウトにより精算不可）を液晶表示部５２４に表示し（ステップＳ１２１）、挿入カードを返却し（ステップＳ１１２）、待機状態に戻る。
【０１４４】
なお、上記所定期間が経過する前、精算ボタン５２５が押下されない間に取消ボタン５２６が押下された場合には精算処理を中止し、その旨を液晶表示部５２４に表示した後、受け入れ中の挿入カードを返却して待機状態に戻る。
【０１４５】
これに対し、上記所定時間内に精算ボタン５２５が押下された場合（ステップＳ１０８ＹＥＳ）、制御部５１８は、Ｔ／Ｃ６０と通信を行うことにより、該Ｔ／Ｃ６０に精算対象のカードに対応する管理テーブルの更新（書き換え）処理を実行させる（ステップＳ１０９）。
【０１４６】
具体的には、制御部５１８は、精算ボタン５２５が押下されると、精算対象（受け入れ中の）のカードの種別、カードＩＤ及び精算ボタン５２５が押下されたことをＴ／Ｃ６０に送信する。
【０１４７】
これにより、Ｔ／Ｃ６０は、当該カード種別に対応する管理テーブル中の当該カードＩＤに対応する残度数から、該カードＩＤに対応して先に送信した精算可能金額分の度数を減算して当該管理テーブルを更新する。そして、上記更新処理が完了すると、その旨（更新完了通知）をカード精算機５０に送信する。
【０１４８】
一方、カード精算機５０では、Ｔ／Ｃ６０から送られてくる上記更新完了通知を受信すると、現在、精算処理画面上に表示されている精算可能金額に相当する現金を払出す処理（ステップＳ１１０）を行う。
【０１４９】
その際、精算可能金額が紙幣（この例では、千円）だけで済む場合には、紙幣処理装置５１４から紙幣払出口５２７を通じて当該金額分の紙幣を払い出し、精算可能金額が硬貨（この例では、１００円）も必要とする場合には、硬貨処理装置５１５から硬貨払出口５２８を通じて当該金額分の硬貨を併せ払い出す。
【０１５０】
上記ステップＳ１１０で精算可能金額の払出しを行った後、カード精算機５０では、精算残額が存在するか否かをチェックする（ステップＳ１１１）。
【０１５１】
ここで、精算残額について説明する。
【０１５２】
本発明において、精算残額とは、カード精算機５０において上記手順で精算処理を行った際、カード残額の全てを精算（現金化）できない場合にカードに残る価値のことを言う。
【０１５３】
カード精算機５０での精算処理において、通常、例えば５００円単位で玉貸しを行う遊技店においては、５００円単位のカード残額しか生じず、カード精算機５０に千円紙幣と５００円硬貨を装填しておけば、全てのカード残額を精算可能であり、精算残額が生じることはない。
【０１５４】
すなわち、この通常のケースでは、精算ボタン５２５押下後のＴ／Ｃ６０での管理テーブル更新処理（ステップＳ１０９）において、該精算対象のカードのカードＩＤに対応する残度数は常に“０”に更新される。
【０１５５】
しかしながら、玉貸し時に５００円分の玉を払出す途中に動作異常が発生して玉貸しが中断された場合には、５００円未満のカード残額が発生してしまい、５００円単位の精算を行うと、精算残額が生じることになる。
【０１５６】
この異常動作のケースでは、精算ボタン５２５押下後のＴ／Ｃ６０での管理テーブル更新処理（ステップＳ１０９）において、該精算対象のカードのカードＩＤに対応する残度数は“０”とはならず、上記精算残額に対応した値に更新される。
【０１５７】
このように精算残額が残った場合、Ｔ／Ｃ６０は、精算残額が残ったことを示す精算残額通知をカード精算機５０に送信する。
【０１５８】
一方、カード精算機５０では、上記ステップＳ１１０で精算可能金額を払出した後、上記精算残額通知が受信されたか否かによって精算残額があるか否かをチェックする（ステップＳ１１１）。
【０１５９】
ここで、精算残額があった場合（ステップＳ１１１ＹＥＳ）、制御部５１８は、受け入れ中のカードがどの種別であるかにかかわらず、当該カードを該当するカード処理装置（５１１または５１２）のカード挿入／排出口（５２２また５２３）から返却する処理（ステップＳ１１２）を行い、待機状態に戻る。
【０１６０】
これに対して、上記精算残額通知が受信されず、精算残額がないと判定された場合（ステップＳ１１１ＮＯ）、次いで、制御部５１８は、上記ステップＳ１０３で保持しているカード種別を参照して、受け入れ中のカードの種別を判別する（ステップＳ１１３）。
【０１６１】
ここで、受け入れ中のカードが会員カード４３であった場合（ステップＳ１１３で会員カード）、制御部５１８は、会員カード処理装置５１１に受け入れ中の会員カード４３を会員カード挿入／排出口５２２から返却し（ステップＳ１１２）、待機状態に戻る。
【０１６２】
また、受け入れ中のカードがプリペイドカード４１であった場合（ステップＳ１１３でプリペイドカード）、制御部５１８は、プリペイドカード処理装置５１２に受け入れ中のプリペイドカード４１を、送出しローラ８５（図９参照）により、カード回収口８０ａから抜け出るまで搬送し、カード回収口８０ａから投出されたプリペイドカード４１を落下させることによりカード回収箱５１３に回収し（ステップＳ１１４）、待機状態に戻る。
【０１６３】
また、受け入れ中のカードが店内用カード４５であった場合（ステップＳ１１３で店内用カード）、店内用カード回収制御部５１８２は、会員カード処理装置５１１に受け入れ中の店内用カード４５を、送出しローラ８５（図９参照）により、カード回収口８０ａから抜け出るまで搬送し、カード回収口８０ａから投出された店内用カード４５を落下させることにより例えばシュート部材５３１（図１４の構成の場合）上を滑らせてカード回収箱５１３に回収し（ステップＳ１１４）、その後、待機状態に戻る。
【０１６４】
なお、この店内用カード４５の回収に際しては、会員カード処理装置５１１における会員カード４５の落下位置から、プリペイドカード４１の下方にあるカード回収箱５１３へと後述するシュート部材５３１（図１４参照）が設けられており、会員カード処理装置５１１のカード回収口８０ａから落下した店内用カード４５は、上記シュート部材５３１を滑ってカード回収箱５１３内に落ち込むことにより回収される。
【０１６５】
なお、上記実施例では、カード精算機５０でのカード精算時に精算残額が生じる原因として、玉貸し時、カード処理機２０から指定された金額分の玉を払い出す途中で動作異常が発生して玉貸しが中断された場合を例に挙げたが、精算残額が生じる他の要因としては、精算可能金額払出し中（ステップＳ１１０）、カード精算機５０が貨幣不足に陥り、精算可能金額分の現金の払出しが中断された場合も挙げられる。
【０１６６】
このような要因で精算時に端数（精算残額）となった金額がある場合には、カード精算機５０側で精算残額が発生したことを認識し（ステップＳ１１１）、その後の処理（ステップＳ１１３、Ｓ１１４）に進めば良い。
【０１６７】
なお、この場合、カード精算機５０は、該精算残額に対応する度数をカード残度数としてＴ／Ｃ６０に送信する。一方、Ｔ／Ｃ６０では、カード精算機５０から上記カード残度数を受信すると、精算対象のカードのカード種別に対応する管理テーブル中の当該カードＩＤに対応する残度数を既に更新している“０”から当該通知された残度数に更新する。
【０１６８】
以上に述べたカード精算処理動作からも分かるように、本発明に係わるカード精算機５０では、会員カード５３については、精算後、残度数の有無にかかわらず必ず遊技客（会員）に返却する。
【０１６９】
また、プリペイドカード４１と店内用カード４５については、精算後、カード残金（精算残額）がある場合に限り返却され、全額が精算されていれば機内のカード回収箱５１３に回収される。
【０１７０】
特に、店内用カード４５の運用にあたっては、店内用カード４５として運用するカードＩＤ（会員コード番号）の範囲を予め店内用カード運用設定テーブル５１８３に記憶しておき、カードが挿入された場合、挿入カードから読取ったカードＩＤが店内用カード運用設定テーブル５１８３に設定された会員コード番号の範囲内にあれば、該挿入カードを店内用カード４５と判定し、精算後、精算残額が無い場合に当該店内用カードを機内に回収するようにしている（図１のステップＳ３−１参照）。
【０１７１】
このカード精算処理制御によれば、会員カード４３の同等品を店内用カード４５として運用する場合、該店内用カード４５に対する精算を実施した後、精算残額が無い場合には当該店内用カード４５が機内に回収されるため、従来のように、精算後に店内用カード４５が会員カード４３と判定されて必ず返却される場合に比べて、カード精算機５０の周辺に捨てられたり、あるいは持ち帰られる店内用カード４５の数を減らすことができ、これにより店内に散乱する店内用カード数を減らして店内美観を維持できると共に、店内用カードの回収数を増やしてその再利用効率を上げることができる。尚、カード回収箱５１３に回収された店内用カードは、所定のタイミングに店員によって取り出され、再び遊技客（ビジター客）に貸し出される。
【０１７２】
次に、本発明に係わるカード精算機５０のカード回収機構について説明する。
【０１７３】
図１４は、実施例１に係わるカード精算機５０におけるカード回収機構の構成例を示す概念図である。
【０１７４】
この構成例では、会員カード処理装置５１１と、プリペイドカード処理装置５１２とを横方向に隣接して配置している。
【０１７５】
プリペイドカード処理装置５１２の下部には、該プリペイドカード処理装置５１２の後端部にあるカード回収口８０ａ（図９参照）から投出された（取り込まれた）プリペイドカード４１が落下してその内部に収容される位置にカード回収箱５１３が設置されている。
【０１７６】
また、会員カード処理装置５１１とカード回収箱５１３との間には、会員カード処理装置５１１の下部からカード回収箱５１３へと下方に傾斜したシュート部材５３１が設けられている。
【０１７７】
ここで、シュート部材５３１は、例えば、会員カード処理装置５１１の後端部にあるカード回収口８０ａ（図９参照）から投出される店内用カード４５が落下した場合にこれを受け止め得る位置に配置される板材によって構成される。
【０１７８】
かかる構成例のカード回収機構を用いたカード回収動作は以下のように実施される。
【０１７９】
すなわち、図１２における精算処理時、ステップＳ１１１の処理により、精算後の精算残額がないと判定され（ステップＳ１１１ＮＯ）、更に、同ステップＳ１１３の処理によってカード種別が店内用カード４５であると判別された場合、会員カード挿入／排出口５２２に挿入されている当該店内用カード４５は、会員カード処理装置５１１の搬送機構（図９参照）の中で、送出しローラ８５によってカード搬送路８０内をカード挿入方向に沿って更に奥へと搬送され、カード回収口８０ａから投出される。
【０１８０】
そして、上記カード回収制御に応じてカード回収口８０ａから投出された店内用カード４５は、上記シュート部材５３１上に落下した後にここを滑り落ち、最終的には、プリペイドカード処理装置５１２直下のカード回収箱５１３内に収容される。
【０１８１】
この構成例によれば、既存のプリペイドカード用のカード回収箱５１３を店内用カード４５の回収箱として兼用できるため、新規に設ける構造が少なく、製造コストを抑制することができる。
【実施例２】
【０１８２】
実施例１では、店内用カード４５の運用設定機能をカード精算機５０に設けた構成について述べたが、実施例２では、上記運用設定機能を上位管理装置であるＴ／Ｃ６０に設けるものである。
【０１８３】
図１５は、実施例２に係わるＴ／Ｃ６０Ｂの機能構成を示すブロック図である。
【０１８４】
Ｔ／Ｃ６０Ｂは、例えばメモリ６３内に設けられる店内用カード運用設定テーブル６３７と、この運用設定テーブル６３７に対して店内用カードの運用設定を行う機能を有するものであり、それ以外の構成は実施例１に係わるＴ／Ｃ６０と同等である。
【０１８５】
図１６は、実施例２に係わるカード精算機５０Ｂの機能構成を示すブロック図である。
【０１８６】
カード精算機５０Ｂは、実施例１に係わるカード精算機５０（図８参照）から運用設定テーブル５１８３、並びに該運用設定テーブル５１８３に対して店内用カードの運用設定を行う機能を削除したものであり、それ以外の構成は実施例１に係わるカード精算機５０と同等である。
【０１８７】
上記Ｔ／Ｃ６０Ｂ及びカード精算機５０Ｂを含む実施例２に係わる遊技システムでは、精算準備として、カード精算機５０Ｂの紙幣処理装置５１４に千円札を装填し、硬貨処理装置５１５には１００円硬貨を装填する。
【０１８８】
また、Ｔ／Ｃ６０Ｂにおいては、店内用カードの運用設定を行う。この店内用カードの運用設定にあたっては、実施例１に係わるカード精算機５０で用いた店内用カード設定画面５１６１（図１０参照）と同等のものを表示装置６５に表示させたうえで、カード精算機５０のハンディ端末機５１６で行った設定操作と同等の設定操作を入力装置６４から行う。
【０１８９】
一例として、店内用カードの運用を行う場合は、表示装置６５に表示した店内用カード運用設定画面（５１６１と同等の表示内容）上で、店内用カードの運用「あり」を選択し、次に、会員カードＮＯ．の範囲を指定する欄の該当入力位置にカーソルを移し、店内用カードとして運用する会員カード番号の範囲（１または複数の範囲）を入力する。
【０１９０】
会員カードの番号（範囲）の入力が終わった後、設定実行を指示する所定の操作を行うと、上記操作内容に応じて、店内用カードの運用を行うことを指示する運用指示情報と、店内用カードとして運用する会員カードの番号範囲を指示する運用対象情報がＣＰＵ６１に送られる。
【０１９１】
これにより、ＣＰＵ６１は、メモリ６３内の店内用カード運用設定テーブル６３７に、例えば、図１１に示す店内用運用設定テーブル５１８１に記憶された形態と同等の店内用カード運用条件情報（店内用カード運用＝あり“１”，運用対象範囲の会員カード番号）を記憶し、店内用カード４５の運用設定を完了する。
【０１９２】
上記精算準備が完了した後、カード精算機５０Ｂでのカード精算処理が可能となる。
【０１９３】
図１７は、実施例２に係わるカード精算機５０Ｂのカード精算処理動作を示すフローチャートである。
【０１９４】
なお、図１７においては、実施例１に係わる処理動作と同様の部分を含むため当該部分については詳しい説明を割愛し、本実施例に特有の処理を主体に説明していく。
【０１９５】
図１７において、カード精算機５０Ｂに対して、会員カード４３、店内用カード４５、プリペイドカード４１のいずれかが挿入されると（ステップＳ３０１ＹＥＳ）、当該カードを受け入れた会員カード処理装置５１１またはプリペイドカード処理装置５１２では、当該カードを搬送機構によって内部に取り込み、当該カードに記録された磁気データを磁気ヘッド８３（図９参照）で読取り（ステップＳ３０２ＹＥＳ）、この読み取られたデータを用いて、挿入されたカードがプリペイドカード４１である会員カード４３であるのカード種別判定を行い、かつ当該判定結果（カード種別）を保持する（ステップＳ３０３）。
【０１９６】
次いで、制御部５１８は、会員カード処理装置５１１またはプリペイドカード処理装置５１２に挿入されたカードから読み取られたデータ中に含まれる識別符号（カードＩＤ）と上記ステップＳ３０３により判定されたカード種別情報とを、通信部５１８１を介してＴ／Ｃ６０に送信する（ステップＳ３０４）。
【０１９７】
これに対し、Ｔ／Ｃ６０Ｂでは、カード精算機５０Ｂから送られてくるカードＩＤ及びカード種別を通信部６６により受信すると、図１８に示すフローチャートに従った精算受付処理を行う。
【０１９８】
この処理において、Ｔ／Ｃ６０Ｂは、カード精算機５０ＢからカードＩＤ及びカード種別の情報を受信すると（ステップＳ４０１）、該受信したカード種別が会員カード４３かプリペイドカード４１かを判定し（ステップＳ４０２）、プリペイドカード４１であれば（ステップ４０２でプリペイドカード）、プリペイドカード管理テーブル６３５から当該カードＩＤに対応する残度数を読み出すと共に、該残度数に対応する精算可能金額を算出し、これら残度数並びに精算可能金額を通信部６６を介してカード精算機５０Ｂに送出する（ステップＳ４０８）。
【０１９９】
また、受信したカード種別が会員カード４３であれば（ステップＳ４０２で会員カード）、店内用カード運用設定テーブル６３７を参照し（ステップＳ４０３）、店内用カード運用フラグが“１”であるか“０”であるか、つまり、店内用カード４５の運用を行うことが設定されているか否かをチェックする（ステップＳ４０４）。
【０２００】
ここで、店内用カード４５の運用を行うことが設定されていない場合には（ステップＳ４０４ＮＯ）、当該挿入カードが会員カード４３であると判定し（ステップＳ４０７）、ステップＳ４０８に進む。
【０２０１】
また、店内用カード４５の運用を行うことが設定されている場合には（ステップＳ４０４ＹＥＳ）、次いで、該カード種別に対応して受信したカードＩＤが店内用カード運用設定テーブル６３７に設定された会員コード番号の範囲（運用対象範囲）内にあるか否かをチェックする（ステップＳ４０５）。
【０２０２】
ここで、上記カードＩＤが店内用カード運用設定テーブル６３７に設定された会員コード番号の範囲内にあれば（ステップＳ４０５ＹＥＳ）、当該挿入カードが店内用カード４５であると判定し（ステップＳ４０６）、上記範囲内になければ（ステップＳ４０５ＮＯ）、当該カードが会員カード４３であると判定し（ステップＳ４０７）、それぞれ、ステップＳ４０８に進む。
【０２０３】
ステップＳ４０８では、前処理で挿入カードが会員カード４３であると判定されている場合は、会員カード管理テーブル６３１から当該カードＩＤに対応する残度数を読み出すと共に、該残度数に対応する精算可能金額を算出し、これら残度数並びに精算可能金額を通信部６６を介してカード精算機５０Ｂに送出する。
【０２０４】
また、前処理で挿入カードが店内用カード４５であると判定されている場合は、店内用カード管理テーブル６３３から当該カードＩＤに対応する残度数を読み出すと共に、該残度数に対応する精算可能金額を算出し、これら残度数並びに精算可能金額を通信部６６を介してカード精算機５０Ｂに送出する。また、この場合には、精算対象が店内用カード４５であることを示す店内用カード通知をカード精算機５０Ｂに併せ送信する（ステップＳ４０８）。
【０２０５】
一方、カード精算機５０Ｂでは、上記カードＩＤ及びカード種別情報の送信後、Ｔ／Ｃ６０Ｂから通信部５１８１を介して残度数並びに精算可能金額を受信すると（ステップＳ３０５ＹＥＳ）、まず、その中に店内用カード通知が含まれているか否かをチェックする（ステップＳ３０６）。
【０２０６】
ここで、店内用カード通知が含まれている場合（ステップＳ３０６ＹＥＳ）は、ステップＳ３０３で保持しているカード種別を“会員カード”から“店内用カード”に更新し（ステップＳ３０７）、ステップＳ３０８に進む。
【０２０７】
また、店内用カード通知が含まれていない場合（ステップＳ３０６ＮＯ）は、そのままステップＳ３０８に進む。
【０２０８】
ステップＳ３０８では、上記ステップＳ３０５で受信した残度数並びに精算可能金額を液晶表示部５２４上に精算処理画面を用いて表示する（ステップＳ３０８）。
【０２０９】
その後、カード精算機５０Ｂでは、ステップＳ３０９からステップＳ３１４までの間に、第１実施例に係わるカード精算機５０におけるステップＳ１０７からＳ１１２にそれぞれ対応する各処理を実施する。
【０２１０】
この間、ステップＳ３１３において、精算残額がないと判定された場合（ステップＳ３１３ＮＯ）、制御部５１８は、上記ステップＳ３０３で保持しているカード種別若しくは上記ステップＳ３０７で更新したカード種別を参照して、受け入れ中のカードの種別を判別する（ステップＳ３１５）。
【０２１１】
ここで、受け入れ中のカードが会員カードであった場合（ステップＳ３１５で会員カード）、制御部５１８は、会員カード処理装置５１１に受け入れ中の会員カード４３を会員カード挿入／排出口５２２から返却し（ステップＳ３１４）、待機状態に戻る。
【０２１２】
また、受け入れ中のカードがプリペイドカード４１であった場合（ステップＳ３１５でプリペイドカード）、制御部５１８は、プリペイドカード処理装置５１２に受け入れ中のプリペイドカード４１を、送出しローラ８５（図９参照）により、カード回収口８０ａから抜け出るまで搬送し、カード回収口８０ａから抜け出たプリペイドカード４１を落下させることによりカード回収箱５１３に回収し（ステップＳ３１６）、その後、待機状態に戻る。
【０２１３】
また、受け入れ中のカードが店内用カード４５であった場合（ステップＳ３１５で店内用カード）、店内用カード回収制御部５１８２は、会員カード処理装置５１１に受け入れ中の店内用カード４５を、送出しローラ８５（図９参照）により、カード回収口８０ａから抜け出るまで搬送し、カード回収口８０ａから抜け出た店内用カード４５を落下させることにより例えばシュート部材５３１を介して（但し、図１４に示す構成例１の場合）プリペイドカード回収箱５１３に回収し（ステップＳ３１６）、その後、待機状態に戻る。
【０２１４】
このように、実施例２においても、会員カード４３と同等品の店内用カード４５に対する精算を実施した後、該店内用カード４５に対応する精算残額が無い場合には当該店内用カード４５が機内に回収するため、カード精算機５０Ｂの周辺に捨てられたり、あるいは持ち帰ってしまわれる店内用カード４５の数を制限でき、店内の美観維持が図れ、かつ店内用カードの再利用効率を高めることができるという実施例１と同様の効果を期待できる。また、店内用カードの運用設定機能をＴ／Ｃ６０Ｂ側に持たせることで、カード精算機５０Ｂ側の構成を簡略化できる。
【０２１５】
この他、本発明は、上記し、且つ図面に示す実施例に限定することなく、その要旨を変更しない範囲内で適宜変形して実施できるものである。
【０２１６】
例えば、実施例２では、Ｔ／Ｃ側で、店内用カードを識別するための会員コードの設定を行って店内用カードの運用範囲を把握しておくと共に、各カード精算機から残額の問合せがあった場合に、会員カードか店内用カードかをＴ／Ｃ側で判断し（図１８参照）、上記問合せに対して対応する管理テーブルから検索した残額（残度数）情報に、会員カードか店内用カードかの情報を付加してカード精算機に返送（図１８のステップＳ４０８，図１７のステップＳ３０６参照）することにより、カード精算機側でその付加情報を基に店内用カードを認識して当該店内用カードの回収を行うようにしているが、変形例としては、Ｔ／Ｃ側では、店内用カードを識別するための会員コードの設定のみを行い、該設定結果（会員コードの範囲情報）を各カード精算機に配信（通知）し、各カード精算機が、Ｔ／Ｃから配信された設定結果を用いてカード挿入時点で該挿入カードが会員カードである店内用カードであるかを判定して店内用カードの回収制御を行う構成としても良い。
【０２１７】
実施例２及び変形例のいずれにおいても、Ｔ／Ｃ側で店内用カードの運用設定を行う方式によれば、遊技店内に多数のカード精算機が設置されている場合に、一台の管理装置（Ｔ／Ｃ）から店内用カードの運用設定を行うことができ、個々のカード精算機毎に設定する場合に比べて、設定に係わる手間を軽減でき、しかも設定ミスも生じ難くできるという大きなメリットがある。
【０２１８】
なお、本発明に係わる店内用カードの回収制御機能を実装するカード精算機は、上記実施例で述べてきた専用のカード精算機に限らず、カード発行機等の機器と兼用するようにしても良い。
【０２１９】
このように、カード発行機等と兼用する場合には、カード発行目的で投入された現金を精算金として利用することができ、現金のリサイクルによる資金効率のアップが望めると共に、ユニットの共通化による製造コストの低減が図れ、更には、スペースの効率的利用が図れる等の利点がある。
【０２２０】
また、上記実施例では、カード精算機が受け入れるカードとして磁気記録式のカードを挙げているが、これに変えて、ＩＣカードやＩＣコインを用いても良い。
【０２２１】
この場合、ＩＣ会員カードには会員コードを記録すると共に、該ＩＣ会員カードの同等品を用いる店内用ＩＣカードには、ＩＣ会員カードとは異なる識別符号を記録して運用の使い分けを行う。
【０２２２】
同様に、ＩＣ会員コインには会員コードを記録すると共に、該ＩＣ会員コインの同等品を用いる店内用ＩＣコインには、ＩＣ会員コインとは異なる識別符号を記録して運用の使い分けを行う。
【０２２３】
また、上記実施例では、カード精算機が受け入れるカードに関連付けられる有価価値をＴ／Ｃ側で管理するようにしているが、これに限らず、カードに関連付けられる有価価値を当該カードに直接記録する方式にも適用可能である。
【０２２４】
また、上記実施例では、カード精算機における精算用硬貨として１００円硬貨を用いる例を挙げたが、精算用硬貨として１０円硬貨まで装填し、精算時には残額を全て精算するようにしても良い。
【産業上の利用可能性】
【０２２５】
本発明は、会員カード等、通常は精算後に必ず返却する第１の記録媒体と、該第１の記録媒体と同等品を用いて使用時のみビジター客に貸し出す第２の記録媒体の各記録媒体によって特定される有価価値に基づく貨幣の精算を行う記録媒体精算装置に適用でき、第２の記録媒体の運用を設定する場合、第１の記録媒体の識別符号とは異なる識別符号を第２の記録媒体に付与して該識別符号を個々にあるいは範囲で設定する方法を適用することにより該第２の記録媒体の種別判定を可能にし、併せて、第２の記録媒体を精算後に精算残額が無い場合に機内に回収する制御を行うことにより、第２の記録媒体が回収されずに投げ散らかされたり、再利用できなくなることを効率的に防止できる。
【図面の簡単な説明】
【０２２６】
【図１】本発明に係わる遊技システムの全体構成を示すブロック図。
【図２】本発明に係わる遊技システムで用いる各種カードの構成を示す図。
【図３】会員管理テーブルの構成を示す図。
【図４】店内用カード管理テーブルの構成を示す図。
【図５】プリペイドカード管理テーブルの構成を示す図。
【図６】カード精算機の正面部の外観構成を示す図。
【図７】カード精算機本体部の各構成要素の配置を示す図。
【図８】実施例１に係わるカード精算機の機能構成を示すブロック図。
【図９】会員カード処理装置のカード搬送系の構成を示す図。
【図１０】ハンディ端末機に表示される店内用カード設定画面の一例を示す図。
【図１１】店内用カード運用設定テーブルに格納される運用条件情報の一例を示す図。
【図１２】実施例１のカード精算機のカード精算処理動作を示すフローチャート。
【図１３】カード精算機の店内用カード判定処理動作を示すフローチャート。
【図１４】カード精算機における店内用カード回収機構の構成例を示す概念図。
【図１５】実施例２に係わるＴ／Ｃの機能構成を示すブロック図。
【図１６】実施例２に係わるカード精算機の機能構成を示すブロック図。
【図１７】実施例２のカード精算機のカード精算処理動作を示すフローチャート。
【図１８】実施例２に係わるＴ／Ｃにおける精算受付処理動作を示すフローチャート。
【符号の説明】
【０２２７】
１０…遊技機、２０…カード処理ユニット、３０…島コントローラ、４０…カード発行機、４１…プリペイドカード、４３…会員カード、４５…店内用カード、５０，５０Ｂ…カード精算機、５１…本体部、５１１…会員カード処理装置、８０…カード搬送路、８０ａ…カード回収口、８１…カード搬送ローラ、８２，８６…従動ローラ、８３…磁気ヘッド、８４…ローラ、８５…送出しローラ、８７…ＩＣカード読取部、５１２…プリペイドカード処理装置、５１３…カード回収箱、５１３ａ…店内用カード回収箱、５１４…紙幣処理装置、５１５…硬貨処理装置、５１６…ハンディ端末機、５１６１…店内用カード運用設定画面、５１６２…ハンディ端末機の操作部、５１７…ジャーナルプリンタ、５１８…制御基板（制御部）、５１８１…通信部、５１８２…店内用カード回収制御部、５１８３…店内用カード運用設定テーブル、５１９…電源装置、５２…扉体、５２１…錠機構、５２２…会員カード挿入／排出口、５２３…プリペイドカード挿入／排出口、５２４…液晶表示部、５２５…精算ボタン、５２６…取消ボタン、５２７…紙幣払出口、５２８…硬貨払出口、６０，６０Ｂ…ターミナルコントローラ（Ｔ／Ｃ）、６１…ＣＰＵ、６２…記憶装置、６３…メモリ、６３１…会員管理テーブル、６３３…店内用カード管理テーブル、６３５…プリペイドカード管理テーブル、６３７…店内用カード運用設定テーブル、６４…入出力装置、６５…表示装置、６６…通信部、７０…ローカルエリアネットワーク（ＬＡＮ）
【図１】
2005237482.tif 000003
【図２】
2005237482.tif 000004
【図３】
2005237482.tif 000005
【図４】
2005237482.tif 000006
【図５】
2005237482.tif 000007
【図６】
2005237482.tif 000008
【図７】
2005237482.tif 000009
【図８】
2005237482.tif 000010
【図９】
2005237482.tif 000011
【図１０】
2005237482.tif 000012
【図１１】
2005237482.tif 000013
【図１２】
2005237482.tif 000014
【図１３】
2005237482.tif 000015
【図１４】
2005237482.tif 000016
【図１５】
2005237482.tif 000017
【図１６】
2005237482.tif 000018
【図１７】
2005237482.tif 000019
【図１８】
2005237482.tif 000020